(57)【要約】【課題】請求書を通じて電力料金を請求されたテナントが、請求書中の消費電力量及び電力料金が不正のない数値であることを知ることができる電力情報報知システム及び電力情報報知装置を提供する。【解決手段】電力情報報知システム１の空調コントローラ４は、室内機２ａ〜２ｃ毎に消費電力量を按分すると共に、各室内機２ａ〜２ｃ毎の消費電力量に対する電力料金を演算する。そして、空調コントローラ４は、各室内機２ａ〜２ｃにおける消費電力量及び電力料金を暗号化して暗号コードを生成すると、これを含む請求書データを管理用コンピュータ５に出力する。センターサーバ６は、インターネット７を介して暗号コードを受け付けると、これを復号化し、室内機２ａ〜２ｃの消費電力量及び電力料金を取り出す。取り出された室内機２ａ〜２ｃの消費電力量及び電力料金は、端末ＴＡ〜ＴＣに報知される。【選択図】図４
2010048451.tif 000002
【特許請求の範囲】
【請求項１】
複数の空調部（２ａ〜２ｃ）それぞれの運転状態に基づいて、前記空調部（２ａ〜２ｃ）毎に消費電力量を按分する按分部（４５ａ）と、
前記按分部（４５ａ）の按分結果に基づいて、前記空調部（２ａ〜２ｃ）毎の消費電力量に対する電力料金を演算する演算部（４５ｂ）と、
各前記空調部（２ａ〜２ｃ）における前記按分部（４５ａ）の按分結果及び前記演算部（４５ｂ）の演算結果の少なくとも１つを暗号化して暗号コードを生成する暗号コード生成部（４５ｃ）と、
前記按分部（４５ａ）の按分結果及び前記演算部（４５ｂ）の演算結果の少なくとも１つと共に前記暗号コードが添付された各前記空調部（２ａ〜２ｃ）における請求書データを出力するデータ出力部（４６）と、
通信ネットワーク（７）を介して前記暗号コードを受け付ける受付部（６１，１６１）と、
前記受付部（６１）により受け付けられた前記暗号コードを復号化し、前記按分部（４５ａ）の按分結果及び前記演算部（４５ｂ）の演算結果の少なくとも１つを取り出す復号化部（６２ａ）と、
前記復号化部（６２ａ）により取り出された前記按分部（４５ａ）の按分結果及び前記演算部（４５ｂ）の演算結果の少なくとも１つを報知する報知部（６１）と、
を備える、電力情報報知システム（１，１０１）。
【請求項２】
前記暗号コードは、２次元バーコードであって、
前記受付部（１６１）は、前記２次元バーコードを読み取り可能な読み取り部によって読み取られた前記請求書データ中の前記２次元バーコードを取得する、
請求項１に記載の電力情報報知システム（１０１）。
【請求項３】
前記復号化部（６２ａ）は、前記暗号コード生成部（４５ｃ）が前記按分部（４５ａ）の按分結果及び前記演算部（４５ｂ）の演算結果の少なくとも１つを暗号化する際に用いた鍵情報によって前記暗号コードを復号化する、
請求項１または２に記載の電力情報報知システム（１）。
【請求項４】
複数の空調部（２０２ａ〜２０２ｃ）それぞれの運転状態に基づいて、前記空調部（２０２ａ〜２０２ｃ）毎に消費電力量を按分する按分部（２４６ａ）と、
前記按分部（２４６ａ）の按分結果に基づいて、前記空調部（２０２ａ〜２０２ｃ）毎の消費電力量に対する電力料金を演算する演算部（２４６ｂ）と、
各前記空調部（２０２ａ〜２０２ｃ）における前記按分部（２４６ａ）の按分結果及び前記演算部（２４６ｂ）の演算結果を記憶する第１記憶部（２４５ａ）と、
インターネット（２０７）に接続された外部端末（ＴＡ〜ＴＣ）を通じて閲覧されるウェブページを介して、前記按分部（２４６ａ）の按分結果及び前記演算部（２４６ｂ）の演算結果の少なくとも１つの報知要求を受信可能な受信部（２４７）と、
前記受信部（２４７）が前記報知要求を受信した場合、前記第１記憶部（２４５ａ）内における前記按分部（２４６ａ）の按分結果及び前記演算部（２４６ｂ）の演算結果の少なくとも１つが前記ウェブページ上に表示されるように、前記按分部（２４６ａ）の按分結果及び前記演算部（２４６ｂ）の演算結果の少なくとも１つを前記外部端末（ＴＡ〜ＴＣ）に送信する送信部（２４７）と、
を備えた、電力情報報知装置（２０４）。
【請求項５】
前記第１記憶部（２４５ａ）は、前記按分部（２４６ａ）の按分結果及び前記演算部（２４６ｂ）の演算結果に対する各前記空調部（２０２ａ〜２０２ｃ）の運転状態を更に記憶し、
前記送信部（２４７）は、前記受信部（２４７）が前記報知要求を受信した場合、前記按分部（２４６ａ）の按分結果及び前記演算部（２４６ｂ）の演算結果に対する前記空調部（２０２ａ〜２０２ｃ）の運転状態が更に前記ウェブページ上に表示されるように、前記第１記憶部（２４５ａ）内における前記空調部（２０２ａ〜２０２ｃ）の運転状態を前記外部端末（ＴＡ〜ＴＣ）に更に送信する、
請求項４に記載の電力情報報知装置（２０４）。
【請求項６】
前記受信部（２４７）が受信した前記報知要求に関する情報を履歴情報として記憶する第２記憶部（２４５ｂ）、
を更に備える、
請求項４または５に記載の電力情報報知装置（２０４）。
【請求項７】
各空調部（３０２ａ〜３０２ｃ）の運転状態に基づいて、前記空調部（３０２ａ〜３０２ｃ）毎に消費電力量を按分する按分部（３４５ａ）と、
前記按分部（３４５ａ）の按分結果に基づいて、前記空調部（３０２ａ〜３０２ｃ）毎の消費電力量に対する電力料金を演算する演算部（３４５ｂ）と、
各前記空調部（３０２ａ〜３０２ｃ）における前記按分部（３４５ａ）の按分結果及び前記演算部（３４５ｂ）の演算結果を含む請求書データを、編集不可能な形態で出力する出力部（３４６）と、
を備えた、電力情報報知装置（３０１）。
【発明の詳細な説明】
【技術分野】
【０００１】
本発明は、電力情報報知システム、ならびに電力情報報知装置に関する。
【背景技術】
【０００２】
従来より、特許文献１に示されるように、複数の室内機を統括して制御する空調コントローラには、室内機毎に消費電力量を按分する機能を備えたものがある。このような空調コントローラは、複数のテナントが入居している物件において、各テナントの店舗内に室内機が設置されている場合に良く利用されている。
【特許文献１】特開２００４−１４４３４８号公報
【発明の開示】
【発明が解決しようとする課題】
【０００３】
ところで、上述したような物件においては、物件のオーナーから管理委託されている管理会社は、空調コントローラによる按分結果（具体的には、室内機毎の消費電力量）を基に各室内機の消費電力量に対する電力料金を計算し、計算した電力料金を付した請求書を各テナントに発行する作業を行う。しかしながら、管理会社から請求書を渡されるテナント側からすると、管理会社が電力料金の水増し請求を行っているのではないかと、疑う恐れがある。
【０００４】
そこで、本発明は、請求書を通じて電力料金を請求されたテナントが、請求書中の消費電力量及び電力料金が不正のない数値であることを知ることができる電力情報報知システム、ならびに電力情報報知装置の提供を目的とする。
【課題を解決するための手段】
【０００５】
発明１に係る電力情報報知システムは、按分部と、演算部と、暗号コード生成部と、データ出力部と、受付部と、復号化部と、報知部とを備える。按分部は、複数の空調部それぞれの運転状態に基づいて、空調部毎に消費電力量を按分する。演算部は、按分部の按分結果に基づいて、空調部毎の消費電力量に対する電力料金を演算する。暗号コード生成部は、各空調部における按分部の按分結果及び演算部の演算結果の少なくとも１つを暗号化して、暗号コードを生成する。データ出力部は、各空調部における請求書データを出力する。請求書データには、按分部の按分結果及び演算部の演算結果の少なくとも１つと共に、暗号コードが添付されている。受付部は、通信ネットワークを介して暗号コードを受け付ける。復号化部は、受付部により受け付けられた暗号コードを復号化し、按分部の按分結果及び演算部の演算結果の少なくとも１つを取り出す。報知部は、復号化部により取り出された按分部の按分結果及び演算部の演算結果の少なくとも１つを報知する。
【０００６】
この電力情報報知システムによると、各空調部の消費電力量及びこれに相当する電力料金の少なくとも１つが暗号化されることで暗号コードが生成され、生成された暗号コードは、各空調部の消費電力量及び電力料金の少なくとも１つと共に請求書に添付され、出力される。そして、請求書中の暗号コードが受付部により受け付けられると、暗号コードは復号化され、暗号コードとなる前の情報、即ち各空調部の消費電力量及び電力料金が報知される。これにより、請求書を通じて電力料金を請求されたテナントは、例えばＷｅｂにアクセスし請求書中の暗号コードを入力して問い合わせることにより、請求書中の消費電力量及び電力料金が不正のない数値であることを知ることができる。従って、物件の管理会社は、電力料金の水増し請求を行っているのではないかとテナント側から疑われにくくなる。また、この電力情報報知システムによると、各空調部の消費電力量や電力料金は、暗号化されかつ復号化されることから、データベース等に蓄積せずともよい。
【０００７】
発明２に係る電力情報報知システムは、発明１に係る電力情報報知システムであって、暗号コードは、２次元バーコードである。そして、受付部は、２次元バーコードを読み取り可能な読み取り部によって読み取られた請求書データ中の２次元バーコードを取得する。
【０００８】
ここで、読み取り部としては、バーコード読み取り機能を搭載したカメラ付き携帯端末が挙げられる。請求書中の２次元バーコードがカメラ付き携帯端末によって読み取られると、読み取られた２次元バーコードについてのデータは、携帯端末の送信機能によって受付部に送信される。受付部により受け付けられた２次元バーコードは復号化され、暗号化される前の情報が報知される。従って、テナント側は、携帯端末を介して請求書中の消費電力量及び電力料金が不正のない数値であることを容易に確認することができる。
【０００９】
発明３に係る電力情報報知システムは、発明１または２に係る電力情報報知システムであって、復号化部は、暗号コード生成部が按分部の按分結果及び演算部の演算結果の少なくとも１つを暗号化する際に用いた鍵情報によって、暗号コードを復号化する。
【００１０】
この電力情報報知システムによると、按分部の按分結果及び演算部の演算結果の暗号化、暗号コードの復号化には、同じ鍵情報が用いられる。従って、受付部が受け付けた暗号コードは、正常に復号化される。
【００１１】
発明４に係る電力情報報知装置は、按分部と、演算部と、第１記憶部と、受信部と、送信部とを備える。按分部は、複数の空調部それぞれの運転状態に基づいて、空調部毎に消費電力量を按分する。演算部は、按分部の按分結果に基づいて、空調部毎の消費電力量に対する電力料金を演算する。第１記憶部は、各空調部における按分部の按分結果及び演算部の演算結果を記憶する。受信部は、インターネットに接続された外部端末を通じて閲覧されるウェブページを介して、按分部の按分結果及び演算部の演算結果の少なくとも１つの報知要求を受信することが可能である。送信部は、受信部が報知要求を受信した場合、第１記憶部内における按分部の按分結果及び演算部の演算結果の少なくとも１つがウェブページ上に表示されるように、按分部の按分結果及び演算部の演算結果の少なくとも１つを外部端末に送信する。
【００１２】
この電力情報報知装置は、外部端末を介して各空調部の消費電力量及び電力料金の報知要求がなされた場合、消費電力量及び電力料金を外部端末に送信する。これにより、外部端末は、ウェブページを介して消費電力量及び電力料金を確認することができる。従って、請求書を通じて電力料金を請求されたテナントは、電力情報報知装置にアクセスすることで、請求書中の消費電力量及び電力料金が不正のない数値であることを知ることができる。
【００１３】
発明５に係る電力情報報知装置は、発明４に係る電力情報報知装置であって、第１記憶部は、按分部の按分結果及び演算部の演算結果に対する各空調部の運転状態を更に記憶する。そして、送信部は、受信部が報知要求を受信した場合、按分部の按分結果及び演算部の演算結果に対する空調部の運転状態が更にウェブページ上に表示されるように、第１記憶部内における空調部の運転状態を外部端末に更に送信する。
【００１４】
この電力情報報知装置は、外部端末を介して各空調部の消費電力量及び電力料金の報知要求がなされた場合、消費電力量及び電力料金だけではなく、該当する空調部の運転状態を外部端末に更に送信する。これにより、外部端末のウェブページ上には、消費電力量及び電力料金に加え、この電力量を消費した空調部のその時の運転状態が表示される。従って、請求書を通じて電力料金を請求されたテナントは、ウェブページ上の空調部の運転状態から、ウェブページ上に表示されている消費電力量及び電力料金が妥当な値であるか否かを確認することができる。また、第三者によるウェブページの改ざんを防げることができる。
【００１５】
発明６に係る電力情報報知装置は、発明４または５に係る電力情報報知装置であって、第２記憶部を更に備える。第２記憶部は、受信部が受信した報知要求に関する情報を履歴情報として記憶する。
【００１６】
報知要求に関する情報としては、報知要求を行ったユーザ名や外部端末のＩＰアドレス、報知要求のあった日時等が挙げられる。この電力情報報知装置は、外部端末を介して各空調部の消費電力量及び電力料金の報知要求がなされた場合、上記報知要求に関する情報を履歴情報として記憶する。つまり、電力情報報知装置は、自装置にアクセスがあった場合のログを記憶する。これにより、第２記憶部内の履歴情報を例えば電力情報報知装置における表示部上に表示することによって、電力情報報知装置を管理する管理者は、どのような人物が消費電力量及び電力料金の報知要求を行っているのかを知ることができる。
【００１７】
発明７に係る電力情報報知装置は、按分部と、演算部と、出力部とを備える。按分部は、各空調部の運転状態に基づいて、空調部毎に消費電力量を按分する。演算部は、按分部の按分結果に基づいて、空調部毎の消費電力量に対する電力料金を演算する。出力部は、請求書データを編集不可能な形態で出力する。請求書データは、各空調部における按分部の按分結果及び演算部の演算結果を含む。
【００１８】
編集不可能な形態としては、ＰＤＦ形式のファイルが挙げられる。この電力情報報知装置によると、空調部の消費電力量及び電力料金が記載された請求書が、ＣＳＶファイルやＥＸＣＥＬファイルのような編集可能な形態ではなく、ＰＤＦファイルのような編集不可能な形態で出力される。従って、物件の管理会社は、請求書データを加工することができないため、電力料金の水増し請求等を行っているのではないかとテナント側から疑われにくくなる。
【発明の効果】
【００１９】
発明１に係る電力情報報知システムによると、請求書を通じて電力料金を請求されたテナントは、例えばＷｅｂにアクセスし請求書中の暗号コードを入力して問い合わせることにより、請求書中の消費電力量及び電力料金が不正のない数値であることを知ることができる。従って、物件の管理会社は、電力料金の水増し請求を行っているのではないかとテナント側から疑われにくくなる。また、この電力情報報知システムによると、各空調部の消費電力量や電力料金は、暗号化されかつ復号化されることから、データベース等に蓄積せずともよい。
【００２０】
発明２に係る電力情報報知システムによると、テナント側は、携帯端末を介して請求書中の消費電力量及び電力料金が不正のない数値であることを容易に確認することができる。
【００２１】
発明３に係る電力情報報知システムによると、受付部が受け付けた暗号コードは、正常に復号化される。
【００２２】
発明４に係る電力情報報知装置によると、外部端末は、ウェブページを介して消費電力量及び電力料金を確認することができる。従って、請求書を通じて電力料金を請求されたテナントは、電力情報報知装置にアクセスすることで、請求書中の消費電力量及び電力料金が不正のない数値であることを知ることができる。
【００２３】
発明５に係る電力情報報知装置によると、請求書を通じて電力料金を請求されたテナントは、ウェブページ上の空調部の運転状態から、ウェブページ上に表示されている消費電力量及び電力料金が妥当な値であるか否かを確認することができる。
【００２４】
発明６に係る電力情報報知装置によると、第２記憶部内の履歴情報を例えば電力情報報知装置における表示部上に表示することによって、電力情報報知装置を管理する管理者は、どのような人物が消費電力量及び電力料金の報知要求を行っているのかを知ることができる。
【００２５】
発明７に係る電力情報報知装置によると、物件の管理会社は、請求書データを加工することができないため、電力料金の水増し請求等を行っているのではないかとテナント側から疑われにくくなる。
【発明を実施するための最良の形態】
【００２６】
以下、本発明に係る電力情報報知システム及び電力情報報知装置について、図面を用いて詳細に説明する。
【００２７】
＜第１実施形態＞
（１）システムの概要及び構成
図１は、本発明の第１実施形態に係る電力情報報知システム１の構成を概略的に示す図である。電力情報報知システム１は、１つの物件内における複数の区画ＲＡ，ＲＢ，ＲＣ・・・（以下、区画ＲＡ〜ＲＣと記載する）内それぞれに設置されている複数の室内機２ａ，２ｂ，２ｃ・・・（空調部に相当。以下、室内機２ａ〜２ｃと記載する）を空調コントローラ４で統括して制御する、いわゆる空調システムとしての機能を有する。更には、本実施形態に係る電力情報報知システム１は、各室内機２ａ〜２ｃの消費電力量及び電力料金に対する暗号コードを生成すると共に、この暗号コードを外部から受け付けるとこれを復号化して各室内機２ａ〜２ｃの消費電力量及び電力料金を報知するといった、電力に関する情報を報知するシステムとしての機能を有する。
【００２８】
このような電力情報報知システム１は、図１に示すように、主として、複数の室内機２ａ〜２ｃ、室外機３、空調コントローラ４、管理用コンピュータ５、及びセンターサーバ６を備えている。
【００２９】
室内機２ａ〜２ｃは、４方向へ空気を吹き出すことができる天井設置型の室内機であって、１つの物件内における各区画ＲＡ〜ＲＣに１台ずつ設置されており、設置された各区画ＲＡ〜ＲＣ内について空調運転を行う。１台の室外機３は、物件の屋上等に設置されており、室内機２ａ〜２ｃ全てと接続されている。また、図示してはいないが、室外機３には、全室内機２ａ〜２ｃにおいて消費された総電力量を計測するための電力量計が接続されている。空調コントローラ４は、物件の管理室等の壁に設けられており、配線によって室外機３と通信可能に接続されている。管理用コンピュータ５は、物件内の管理室のように、区画ＲＡ〜ＲＣとは別の部屋等に設置されており、空調コントローラ４とイーサネット（登録商標）を介して通信可能に接続されている。センターサーバ６は、室内機２ａ〜２ｃや管理用コンピュータ５が設置されている物件とは別の物件に設置されており、インターネット７に接続されている。
【００３０】
ここで、各室内機２ａ〜２ｃが設置されている各区画ＲＡ〜ＲＣには、テナントＡ，Ｂ，Ｃ・・・（以下、テナントＡ〜Ｃと記載する）が入居している。そして、各区画ＲＡ〜ＲＣ内には、インターネット７に接続されたＰＣ等である端末ＴＡ，ＴＢ，ＴＣ・・・（以下、端末ＴＡ〜ＴＣと記載する）が、それぞれ１台ずつ設置されている。つまり、各端末ＴＡ〜ＴＣは、インターネット７を介してセンターサーバ６にアクセスすることができる。尚、本実施形態では、管理用コンピュータ５及び空調コントローラ４は、インターネット７に接続されていないため、端末ＴＡ〜ＴＣは、管理用コンピュータ５及び空調コントローラ４にはアクセスできない仕様となっている。
【００３１】
（２）室内機、室外機、空調コントローラ、及びセンターサーバの構成
次に、上述した電力情報報知システム１を構成する各装置のうち、管理用コンピュータ５を除く他の構成、つまり室内機２ａ〜２ｃ、室外機３、空調コントローラ４、及びセンターサーバ６の各構成について説明する。
【００３２】
（２−１）室内機及び室外機
以下の室内機２ａ〜２ｃの構成の説明では、室内機２ａ〜２ｃ全てが同じ構造を有しているため、説明の便宜上、室内機２ａ〜２ｃを単に“室内機２”と記載する。
【００３３】
〔室内機〕
図１及び図２に示すように、室内機２は、主として、本体２１、受信部２２、複数の上下フラップ２３、複数の左右ルーバ２４、室内ファン２５、室内温度サーミスタ２６及び制御部２７を有している。本体２１は、箱状の形状を有しており、下面には４つの吹き出し口２１ａ，２１ｂ，２１ｃ，２１ｄが形成されている（図１参照）。各吹き出し口２１ａ〜２１ｄは、本体２１の下面における４辺に沿ってそれぞれ細長い形状に形成されている。受信部２２は、本体２１の下面に設けられており、各区画ＲＡ〜ＲＣ内にいるテナントの店員が操作するリモートコントローラ（図示せず）を介して、空調運転の指示や風量、風向きの設定変更等を受け付けることができる。複数の上下フラップ２３及び複数の左右ルーバ２４は、それぞれ本体２１の各吹き出し口２１ａ〜２１ｄ付近に設けられている。上下フラップ２３は、各吹き出し口２１ａ〜２１ｄから吹き出された空調空気を上下方向に導くための風向調整板であって、各吹き出し口２１ａ〜２１ｄの形状と同様に細長い矩形状に形成されている。各上下フラップ２３は、本体２１に対し上下に回動することで、各吹き出し口２１ａ〜２１ｄを開閉することができる。左右ルーバ２４は、各吹き出し口２１ａ〜２１ｄから吹き出された空調空気を左右方向に導くための風向調節板であって、本体２１に対し左右に回動することができる。
【００３４】
室内ファン２５は、本体２１の内部に設けられており、各吹き出し口２１ａ〜２１ｄを介して空調空気が室内に送られるように空気流を生成する。室内温度サーミスタ２６は、室内機２付近の温度を検知する。制御部２７は、受信部２２、室内温度サーミスタ２６及び各種モータと接続されており、これら各種機器の制御を行う。各種モータとしては、上下フラップ２３の駆動源として機能するモータ、左右ルーバ２４の駆動源として機能するモータ、室内ファン２５の駆動源として機能するモータが挙げられる。更に、本体２１の内部には、図示してはいないが、室内に送られる前の空気と熱交換を行う熱交換器等が設けられている。また、制御部２７は、通信線を介して室外機３の制御部３７と接続されており、室外機３側の制御部３７と各種制御についての通信などを行う。尚、図２では、図面の便宜上、制御部２７及び制御部３７の間の通信手段を省略し、制御部２７と制御部３７とを１つの制御部として表している。
【００３５】
〔室外機〕
室外機３は、主として、通信部３１、圧縮機３２，四路切換弁３３、電動弁３４、室外ファン３５、室外温度サーミスタ３６及び制御部３７を有する。通信部３１は、空調コントローラ４と通信を行う通信用インターフェースであって、空調コントローラ４に対し、例えば各室内機２ａ〜２ｃの現在の運転状態を送信する。圧縮機３２は、冷媒を圧縮し、四路切換弁３３は、冷媒の流れ方向を切り換える。電動弁３４は、冷媒圧力や冷媒流量の調節を行う。圧縮機３２、四路切換弁３３及び電動弁３４は、室外熱交換器（図示せず）と共に冷媒回路を構成する。室外ファン３５は、室外熱交換器（図示せず）において熱交換された後の空気が室外に放出されるように、空気流を生成する。室外温度サーミスタ３６は、外気温度を検知する。制御部３７は、通信部３１、四路切換弁３３、電動弁３４、室外温度サーミスタ３６及び各種モータと接続されており、これら各種機器の制御を行う。各種モータとしては、圧縮機３２の駆動源として機能するモータ、室外ファン３５の駆動源として機能するモータが挙げられる。
【００３６】
（２―２）空調コントローラ
空調コントローラ４は、図３に示すように、室外機用通信部４１、操作パネル４２、制御部４５、及びイーサネット用通信部４６（データ出力部に相当）を有する。
【００３７】
〔室外機用通信部〕
室外機用通信部４１は、室外機３と通信を行うための通信用インターフェースであって、各室内機２ａ〜２ｃの現在の運転状態を室外機３から受信することができる。ここで、現在の運転状態としては、暖房運転や除湿運転等の、各室内機２ａ〜２ｃが行っている空調運転の種類、各室内機２ａ〜２ｃの電磁弁の開度、各室内機２ａ〜２ｃの設定温度、設定風量等が挙げられる。
【００３８】
また、既に述べたように、本実施形態に係る室外機３には、室内機２ａ〜２ｃ及び空調コントローラ４の他、電力量計も接続されている。従って、室外機用通信部４１は、間近の所定時間間隔における全室内機２ａ〜２ｃの総消費電力量を、室外機３を介して電力量計から取得することができる。所定時間間隔としては、例えば１時間が挙げられる。
【００３９】
〔操作パネル〕
操作パネル４２は、表示部４３と、操作部４４とで構成される。表示部４３は、例えば液晶ディスプレイ及びマトリクススイッチ等で構成されるタッチパネルであって、各種画面を表示することができる。表示部４３が表示する画面としては、各室内機２ａ〜２ｃの設定温度、風量及び風向等を設定するための設定画面が挙げられる。操作部４４は、例えば決定キーや選択キー、数字キー等の各種キーと、ペン型のポインティングデバイスとで構成される。このような操作部４４は、表示部４３に表示された各種画面に基づいて、各室内機２ａ〜２ｃの空調運転に関する各種設定が行われる場合等に用いられる。
【００４０】
〔制御部〕
制御部４５は、ＲＯＭやＲＡＭ等のメモリとＣＰＵとからなるマイクロコンピュータで構成される。制御部４５は、室外機用通信部４１、操作パネル４２における表示部４３及び操作部４４、後述するイーサネット用通信部４６と接続されており、接続された各機能部の制御を行う。特に、本実施形態に係る制御部４５は、室外機用通信部４１が各室内機２ａ〜２ｃの運転状態を室外機３から受信した場合、各室内機２ａ〜２ｃにおいて消費された消費電力量及び電力料金を計算する。そして、制御部４５は、計算結果を暗号化した後、暗号化された計算結果を含むデータが管理用コンピュータ５に送られるようにする。このような動作を行うため、制御部４５は、按分部４５ａ、演算部４５ｂ、暗号コード生成部４５ｃ、及び請求書データ生成部４５ｄとして機能する。
【００４１】
按分部４５ａは、室外機用通信部４１が受信した各室内機２ａ〜２ｃそれぞれの運転状態に基づいて、室内機２ａ〜２ｃ毎に消費電力量を按分する。具体的には、室外機用通信部４１が、電力量計（図示せず）によって計測された全室内機２ａ〜２ｃにおける総消費電力量と共に各室内機２ａ〜２ｃの運転状態を室外機３から受信すると、按分部４５ａは、受信した総消費電力量を、同じく受信した各室内機２ａ〜２ｃの空調運転の種類や電磁弁の開度等に基づいて按分する。例えば、室内機２ａ〜２ｃ全てが冷房運転であれば、按分部４５ａは、総消費電力量を、各室内機２ａ〜２ｃの電磁弁の開度で比例するように按分する。このような動作により、所定時間間隔毎における各室内機２ａ〜２ｃの消費電力量が求められる。更に、按分部４５ａは、このような動作を所定時間間隔毎に繰り返すと共に、所定時間間隔における消費電力量を各室内機２ａ〜２ｃ毎に積算していくことで、例えば１ヶ月の所定期間における各室内機２ａ〜２ｃの消費電力量を求める。
【００４２】
演算部４５ｂは、按分部４５ａの按分結果、即ち各室内機２ａ〜２ｃの消費電力量に基づいて、室内機２ａ〜２ｃ毎の消費電力量に対する電力料金を演算する。具体的には、演算部４５ｂは、物件全体での所定期間における電力料金を、按分部４５ａにより求められた所定期間における各室内機２ａ〜２ｃの消費電力量に比例するように按分することで、各室内機２ａ〜２ｃの消費電力量に対する電力料金を算出する。物件全体での所定期間における電力料金については、電力会社から報告されるものが操作パネル４２を介して入力されるものとする。
【００４３】
暗号コード生成部４５ｃは、按分部４５ａの按分結果及び演算部４５ｂの演算結果、即ち各室内機２ａ〜２ｃの消費電力量及び電力料金を暗号化する。具体的に、本実施形態に係る暗号コード生成部４５ｃは、各室内機２ａ〜２ｃの所定期間における消費電力量及び電力料金を暗号化することで、数字及び文字が羅列された文字コードを生成する。このようにして暗号コード生成部４５ｃにより暗号化された室内機２ａ〜２ｃ毎の消費電力量及び電力料金を、暗号コードという。
【００４４】
請求書データ生成部４５ｄは、按分部４５ａの按分結果及び演算部４５ｂの演算結果である各室内機２ａ〜２ｃの消費電力量及び電力料金と、暗号コード生成部４５ｃにより生成された暗号コードとを添付した請求書データを、室内機２ａ〜２ｃ毎に生成する。つまり、請求書データ生成部４５ｄは、各区画ＲＡ〜ＲＣに設けられた室内機２ａ〜２ｃの数だけ、請求書データを生成する。このような請求書データの生成動作は、各室内機２ａ〜２ｃの消費電力量及び電力料金の算出動作や暗号コードの生成動作と同様、所定期間毎に行われる。
【００４５】
〔イーサネット用通信部〕
イーサネット用通信部４６は、イーサネットを介して管理用コンピュータ５と通信を行うための通信用インターフェースである。具体的に、イーサネット用通信部４６は、請求書データ生成部４５ｄにより生成された室内機２ａ〜２ｃ毎の請求書データを、イーサネットを介して管理用コンピュータ５に送信する。
【００４６】
尚、管理用コンピュータ５は、各室内機２ａ〜２ｃの請求書データが空調コントローラ４から送られてくると、これを受信する。受信された請求書データは、管理用コンピュータ５を利用する物件の管理会社によって用紙に印刷され、室内機２ａ〜２ｃそれぞれが設置された区画ＲＡ〜ＲＣに入居している各テナントＡ〜Ｃに渡される。図４は、テナントＡに渡される請求書ｐ１の一例である。図４に示すように、請求書ｐ１には、室内機２ａの消費電力量ｉｎｆｏ１及び電力料金ｉｎｆｏ２の他、消費電力量ｉｎｆｏ１と電力料金ｉｎｆｏ２とが暗号化された文字コードである暗号コードｉｎｆｏ３が記載されている。
【００４７】
（２−３）センターサーバ
センターサーバ６は、図５に示すように、主として、インターネット用通信部６１（受付部及び報知部に相当）、及び制御部６２を有する。
【００４８】
〔インターネット用通信部〕
インターネット用通信部６１は、インターネット７を介して区画ＲＡ〜ＲＣ内の各端末ＴＡ〜ＴＣと通信を行うための通信用インターフェースである。具体的に、インターネット用通信部６１は、端末ＴＡ〜ＴＣのキーボード等を用いてテナントの店員によって入力され送信された請求書中の暗号コードを、インターネット７を介して受信する。つまり、インターネット用通信部６１は、空調コントローラ４が管理用コンピュータ５に出力した請求書データに添付されている暗号コードを、管理用コンピュータ５とは通信不可能な端末ＴＡ〜ＴＣから受信することができる。
【００４９】
また、インターネット用通信部６１は、後述する制御部６２により解読された暗号コードの解読結果を、該暗号コードの送信元である端末ＴＡ〜ＴＣに送信する。例えば、管理会社からテナントＡに渡された請求書ｐ１（図４）における暗号コードｉｎｆｏ３「７Ａ２４Ｂ６９８」が、端末ＴＡから送信された場合、該暗号コードｉｎｆｏ３「７Ａ２４Ｂ６９８」の解読結果は、端末ＴＡに送信される。
【００５０】
〔制御部〕
制御部６２は、ＲＯＭやＲＡＭ等のメモリとＣＰＵとからなるマイクロコンピュータで構成される。本実施形態に係る制御部６２は、復号化部６２ａ及び通信制御部６２ｂとして機能する。
【００５１】
復号化部６２ａは、インターネット用通信部６１により受信された暗号コードを復号化し、空調コントローラ４における按分部４５ａの按分結果及び演算部４５ｂの演算結果を取り出す。つまり、暗号コードは、空調コントローラ４における暗号コード生成部４５ｃによって、室内機２ａ〜２ｃいずれかにおける消費電力量及び電力料金が暗号化されたものであることから、復号化部６２ａは、端末ＴＡ〜ＴＣから送られてきた暗号コードを復号化することにより、暗号コード自体から室内機２ａ〜２ｃいずれかにおける消費電力量及び電力料金を取得することができる。
【００５２】
尚、本実施形態に係る復号化部６２ａは、暗号コードの復号化をするにあたり、空調コントローラ４において暗号コード生成部４５ｃが各室内機２ａ〜２ｃの消費電力量及び電力料金を暗号化する際に用いた鍵情報を用いる。即ち、暗号コードの復号化には、暗号コード生成時に用いられた鍵情報と同じ情報が用いられる。従って、暗号コードは、正常にかつ容易に復号化されるようになる。
【００５３】
通信制御部６２ｂは、インターネット用通信部６１の通信制御を行う。具体的には、通信制御部６２ｂは、復号化部６２ａにより取り出された按分結果及び演算結果、即ち室内機２ａ〜２ｃいずれかにおける消費電力量及び電力料金が、インターネット７を介して暗号コードの送信元である端末ＴＡ〜ＴＣに送信されるように、インターネット用通信部６１の通信制御を行う。
【００５４】
上述したセンターサーバ６によると、暗号コードを入力した端末ＴＡ〜ＴＣの表示部上には、例えば図６に示すような画面が表示される。図６は、端末ＴＡがセンターサーバ６に図４の暗号コードｉｎｆｏ３「７Ａ２４Ｂ６９８」を送信した場合であって、かつ端末ＴＡに室内機２ａにおける消費電力量及び電力料金が表示された画面ｓｑ１の一例を示している。図６の画面ｓｑ１は、例えばＷｅｂブラウザを用いてＷｅｂページとして表示される。
【００５５】
（３）電力情報報知システムの動作
次に、上述した電力情報報知システム１の動作について説明する。図７は、本実施形態に係る電力情報報知システム１の動作の流れを説明するための図である。
【００５６】
先ず、室外機３は、所定時間間隔経過毎に、各室内機２ａ〜２ｃの運転状態を確認すると共に、電力量計（図示せず）から全室内機２ａ〜２ｃの総消費電力量を取得する。そして、室外機３は、各室内機２ａ〜２ｃの運転状態及び全室内機２ａ〜２ｃの総消費電力量を、空調コントローラ４に送信する（＃１）。
【００５７】
空調コントローラ４は、各室内機２ａ〜２ｃの運転状態及び全室内機２ａ〜２ｃの総消費電力量を室外機３から受信すると（＃２）、所定時間間隔における各室内機２ａ〜２ｃの消費電力量を按分して室内機２ａ〜２ｃ毎に積算し、所定期間における各室内機２ａ〜２ｃの消費電力量を求める。更に、空調コントローラ４は、所定期間における各室内機２ａ〜２ｃの消費電力量に対する電力料金を求める（＃３）。そして、空調コントローラ４は、所定期間における各室内機２ａ〜２ｃの消費電力量及び電力料金を暗号化して、室内機２ａ〜２ｃ毎に暗号コードを生成する（＃４）。次いで、空調コントローラ４は、所定期間における各室内機２ａ〜２ｃの消費電力量、電力料金、及び生成した暗号コードが添付された請求書データを室内機２ａ〜２ｃ毎に生成し、該請求書データを管理用コンピュータ５に送信する（＃５）。
【００５８】
管理用コンピュータ５は、空調コントローラ４から送られてきた各室内機２ａ〜２ｃにおける請求書データを受信する（＃６）。受信された請求書データは、管理用コンピュータ５を利用する物件の管理会社によって図４に示すように用紙に印刷され、室内機２ａ〜２ｃそれぞれが設置された区画ＲＡ〜ＲＣに入居している各テナントＡ〜Ｃに渡される（＃７）。
【００５９】
テナントＡ〜Ｃの店員は、物件の管理会社から渡された請求書が正しいか否かを確認するべく、端末ＴＡ〜ＴＣを用いてセンターサーバ６にアクセスし、請求書における暗号コードを端末ＴＡ〜ＴＣのキーボードを介してＷｅｂページに入力する（＃８）。端末ＴＡ〜ＴＣに入力された暗号コードは、インターネット７を介してセンターサーバ６に送信される。
【００６０】
センターサーバ６は、端末ＴＡ〜ＴＣから送られてきた暗号コードをインターネット７を介して受信すると（＃９）、該暗号コードを復号化し（＃１０）、復号化した結果、即ち室内機２ａ〜２ｃいずれかにおける消費電力量及び電力料金を取得する。次いで、センターサーバ６は、暗号コードの送信元である端末ＴＡ〜ＴＣの表示部上に、復号化した結果である室内機２ａ〜２ｃいずれかの消費電力量及び電力料金が表示されるようにする（＃１１）。
【００６１】
これにより、テナントＡ〜Ｃの店員により暗号コードが入力された端末ＴＡ〜ＴＣの表示部上には、図６に示すように、入力された暗号コードに対する室内機２ａ〜２ｃの消費電力量及び電力料金が表示されるようになる（＃１２）。
【００６２】
（４）効果
（Ａ）
本実施形態に係る電力情報報知システム１によると、各室内機２ａ〜２ｃの消費電力量及びこれに相当する電力料金が空調コントローラ４によって暗号化されることで、暗号コードが生成される。生成された暗号コードは、各室内機２ａ〜２ｃの消費電力量及び電力料金と共に請求書データに添付され、管理用コンピュータ５に出力される。そして、各端末ＴＡ〜ＴＣがセンターサーバ６にアクセスし、各テナントに発行された請求書中の暗号コードがいずれかの端末ＴＡ〜ＴＣを介して入力されると、入力された暗号コードは、センターサーバ６によって復号化される。そして、暗号コードが入力された端末ＴＡ〜ＴＣには、暗号コードとなる前の情報、即ち各室内機２ａ〜２ｃの消費電力量及び電力料金が各端末ＴＡ〜ＴＣに報知される。これにより、請求書を通じて電力料金を請求された各区画ＲＡ〜ＲＣのテナントは、例えばＷｅｂにアクセスし請求書中の暗号コードを入力してセンターサーバ６に問い合わせることにより、請求書中の消費電力量及び電力料金が不正のない数値であることを知ることができる。従って、物件の管理会社は、電力料金の水増し請求を行っているのではないかとテナント側から疑われにくくなる。
【００６３】
また、この電力情報報知システム１によると、各室内機２ａ〜２ｃの消費電力量や電力料金は、暗号化されかつ復号化されることから、センターサーバ６は、各室内機２ａ〜２ｃの消費電力量及び電力料金をデータベース等に蓄積せずともよい。
【００６４】
（Ｂ）
また、本実施形態に係る電力情報報知システム１によると、空調コントローラ４における按分部４５ａの按分結果及び演算部４５ｂの演算結果の暗号化や、センターサーバ６の復号化部６２ａによる暗号コードの復号化には、同じ鍵情報が用いられる。従って、センターサーバ６が端末ＴＡ〜ＴＣから受け付けた暗号コードは、正常に復号化される。
【００６５】
＜第２実施形態＞
上記第１実施形態では、図４に示すように、空調コントローラ４により生成される暗号コードが、複数の数値や文字が羅列された文字コードである場合について説明した。しかし、本発明に係る暗号コードは、文字コードに限定されず、２次元バーコードであってもよい。
【００６６】
（１）電力情報報知システムの構成
図８は、本発明の第２実施形態に係る電力情報報知システム１０１の構成を概略的に示す図である。図８に示すように、本実施形態に係る電力情報報知システム１０１は、主として、複数の室内機１０２ａ〜１０２ｃ、１台の室外機１０３、空調コントローラ１０４、管理用コンピュータ１０５、及びセンターサーバ１０６を備えている。複数の室内機１０２ａ〜１０２ｃ、室外機１０３、空調コントローラ１０４、管理用コンピュータ１０５、及びセンターサーバ１０６は、第１実施形態に係る複数の室内機２ａ〜２ｃ、室外機３、空調コントローラ４、管理用コンピュータ５、及びセンターサーバ６とほぼ同様の構成を有する。
【００６７】
具体的には、室内機１０２ａ〜１０２ｃは、４方向へ空気を吹き出すことができる天井設置型の室内機であって、１つの物件内における各区画ＲＡ〜ＲＣに１台ずつ設置されており、設置された各区画ＲＡ〜ＲＣ内について空調運転を行う。１台の室外機１０３は、物件の屋上等に設置されており、室内機１０２ａ〜１０２ｃ全てと接続されている。また、室外機１０３には、室内機１０２ａ〜１０２ｃ全ての総消費電力量を計測するための電力量計（図示せず）が接続されている。空調コントローラ１０４は、物件の管理室等の壁に設けられており、配線によって室外機１０３と通信可能に接続されている。管理用コンピュータ１０５は、物件内の管理室や各区画ＲＡ〜ＲＣとは別の部屋等に設置されており、空調コントローラ１０４とイーサネット（登録商標）を介して通信可能に接続されている。センターサーバ１０６は、室内機１０２ａ〜１０２ｃや管理用コンピュータ１０５が設置されている物件とは別の物件に設置されている。尚、センターサーバ１０６は、図８に示すように、空調コントローラ１０４や管理用コンピュータ１０５とはインターネット等で接続されていないため、センターサーバ１０６は、空調コントローラ１０４や管理用コンピュータ１０５とは通信できない仕様となっている。
【００６８】
上述した電力情報報知システム１０１では、第１実施形態と同様、空調コントローラ１０４が各室内機１０２ａ〜１０２ｃの消費電力量の按分、各室内機１０２ａ〜１０２ｃの消費電力量に対する電力料金の算出を行う他、消費電力量及び電力料金を暗号化し、暗号コードとして２次元バーコードを生成する。更に、空調コントローラ１０４は、図９に示すように、室内機１０２ａ〜１０２ｃ毎に、消費電力量、電力料金及び２次元バーコードｂａ１が添付された請求書データを生成し、管理用コンピュータ１０５に出力する。図９は、管理用コンピュータ１０５により印刷された、請求書データの一例である。
【００６９】
また、本実施形態に係る各区画ＲＡ〜ＲＣには、テナントＡ〜Ｃが入居しているが、端末ＴＡ〜ＴＣが設置されていない代わりに、各テナントＡ〜Ｃの店員が携帯端末ＭＡ〜ＭＣを有しているとする。携帯端末ＭＡ〜ＭＣは、電話機能やメール機能、インターネット機能の他、２次元バーコードを読み取ることが可能な読み取り部を備えた、所謂カメラ付き携帯端末である。従って、各テナントＡ〜Ｃの店員は、携帯端末ＭＡ〜ＭＣを用いて物件の管理会社から渡された請求書中の２次元バーコードｂａ１（図９）を読み取り、センターサーバ１０６に送信することで、物件の管理会社から渡された請求書中の消費電力量や電力料金が不正のない数値であるか否かを確認することができる。つまり、本実施形態に係るセンターサーバ１０６は、第１実施形態に係るセンターサーバ６において、インターネット用通信部６１の代わりに無線通信部１６１を有している構成となっている。具体的には、センターサーバ１０６は、図８に示すように、無線通信部１６１を有している他、第１実施形態と同様に復号化部及び通信制御部として機能する制御部を有している。ここで、無線通信部１６１は、携帯端末ＭＡ〜Ｃによって読み取られた２次元バーコードのデータを受信したり、２次元バーコードを復号化した結果を携帯端末ＭＡ〜ＭＣに送信したりすることができる。
【００７０】
尚、センターサーバ１０６は、２次元バーコードを復号化するにあたり、第１実施形態と同様、空調コントローラ１０４が各室内機１０２ａ〜１０２ｃの消費電力量及び電力料金を暗号化する際に用いた鍵情報と同じ情報を用いてもよい。
【００７１】
また、電力情報報知システム１０１に係る室内機１０２ａ〜１０２ｃ、室外機１０３及び空調コントローラ１０４の構成については、第１実施形態に係る室内機２ａ〜２ｃ、室外機３及び空調コントローラ４と同様であるため、これらの各機器の詳細な説明は省略する。
【００７２】
（２）電力情報報知システムの動作
次に、本実施形態に係る電力情報報知システム１０１の動作について説明する。図１０は、本実施形態に係る電力情報報知システム１０１の動作の流れを説明するための図である。
【００７３】
先ず、室外機１０３は、所定時間間隔経過毎に、各室内機１０２ａ〜１０２ｃの運転状態を確認すると共に、電力量計（図示せず）から全室内機１０２ａ〜１０２ｃの総消費電力量を取得する。そして、室外機１０３は、各室内機１０２ａ〜１０２ｃの運転状態及び全室内機１０２ａ〜１０２ｃの総消費電力量を、空調コントローラ１０４に送信する（＃１０１）。
【００７４】
空調コントローラ１０４は、各室内機１０２ａ〜１０２ｃの運転状態及び全室内機１０２ａ〜１０２ｃの総消費電力量を室外機１０３から受信すると（＃１０２）、所定時間間隔における各室内機１０２ａ〜１０２ｃの消費電力量を按分して室内機１０２ａ〜１０２ｃ毎に積算し、所定期間における各室内機１０２ａ〜１０２ｃの消費電力量を求める。更に、空調コントローラ１０４は、所定期間における各室内機１０２ａ〜１０２ｃの消費電力量に対する電力料金を求める（＃１０３）。そして、空調コントローラ１０４は、所定期間における各室内機１０２ａ〜１０２ｃの消費電力量及び電力料金を暗号化して、室内機１０２ａ〜１０２ｃ毎に２次元バーコードである暗号コードを生成する（＃１０４）。次いで、空調コントローラ１０４は、所定期間における各室内機１０２ａ〜１０２ｃの消費電力量、電力料金、及び生成した２次元バーコードである暗号コードが添付された請求書データを室内機１０２ａ〜１０２ｃ毎に生成し、該請求書データを管理用コンピュータ１０５に送信する（＃１０５）。
【００７５】
管理用コンピュータ１０５が、空調コントローラ１０４から送られてきた各室内機１０２ａ〜１０２ｃにおける請求書データを受信する（＃１０６）。受信された請求書データは、管理用コンピュータ１０５を利用する物件の管理会社によって図９に示すように用紙に印刷され、室内機１０２ａ〜１０２ｃそれぞれが設置された区画ＲＡ〜ＲＣに入居している各テナントＡ〜Ｃに渡される（＃１０７）。
【００７６】
テナントＡ〜Ｃの店員は、物件の管理会社から渡された請求書が正しいか否かを確認するべく、携帯端末ＭＡ〜ＭＣを用いて請求書中の２次元バーコードを読み取り、センターサーバ１０６に送信する（＃１０８）。
【００７７】
センターサーバ１０６は、携帯端末ＭＡ〜ＭＣから送られてきた２次元バーコードのデータを受信すると（＃１０９）、これを復号化し（＃１１０）、復号化した結果、即ち室内機１０２ａ〜１０２ｃいずれかにおける消費電力量及び電力料金を取得する。次いで、センターサーバ１０６は、２次元バーコードの送信元である携帯端末ＭＡ〜ＭＣに、復号化した結果である室内機１０２ａ〜１０２ｃいずれかの消費電力量及び電力料金をメールで送信する（＃１１１）。
【００７８】
これにより、テナントＡ〜Ｃの店員は、２次元バーコードを読み取った携帯端末ＭＡ〜ＭＣ宛に届いたセンターサーバ１０６からのメールによって（＃１１２）、請求書に記載されている室内機１０２ａ〜１０２ｃの消費電力量及び電力料金が不正のない値であるか否かを確認することができる。
【００７９】
（３）効果
本実施形態に係る電力情報報知システム１では、図９に示すように、暗号コードが２次元バーコードの形態で請求書中に表される。この２次元バーコードは、室内機１０２ａ〜１０２ｃの消費電力量及び電力料金が暗号化されたものであって、携帯端末ＭＡ〜ＭＣによって読み取られると共に、センターサーバ１０６に送信される。センターサーバ１０６の無線通信部１６１により受信された２次元バーコードのデータは、復号化され、復号化された後の結果、即ち室内機１０２ａ〜１０２ｃいずれかの消費電力量及び電力料金がメールで携帯端末ＭＡ〜ＭＣに通知される。従って、テナント側は、携帯端末ＭＡ〜ＭＣを介して請求書中の消費電力量及び電力料金が不正のない数値であることを容易に確認することができる。
【００８０】
＜第３実施形態＞
次に、本発明の第３実施形態に係る電力情報報知装置が採用された空調コントローラ２０４を備える電力情報報知システム２０１について説明する。本実施形態に係る電力情報報知システム２０１では、上記第１及び第２実施形態のように、請求書データが、空調コントローラ２０４によって生成された後、用紙に出力されて各テナントＡ〜Ｃに渡される。しかしながら、請求書中の消費電力量及び電力料金が各テナントＡ〜Ｃの店員によって確認される手法が、上記第１及び第２実施形態とは異なっている。
【００８１】
（１）構成
図１１は、電力情報報知システム２０１の構成を概略的に示す図である。電力情報報知システム２０１は、主として、複数の室内機２０２ａ〜２０２ｃ、１台の室外機２０３、及び空調コントローラ２０４（電力情報報知装置に相当）を備える。
【００８２】
室内機２０２ａ〜２０２ｃは、１つの物件における各区画ＲＡ〜ＲＣに１台ずつ設置されており、設置された各区画ＲＡ〜ＲＣ内について空調運転を行う。１台の室外機２０３は、物件の屋上等に設置されており、室内機２０２ａ〜２０２ｃ全てと接続されている。また、室外機２０３には、室内機２０２ａ〜２０２ｃ全ての総消費電力量を計測するための電力量計（図示せず）が接続されている。空調コントローラ２０４は、物件の管理室等の壁に設けられており、配線によって室外機２０３と通信可能に接続されている。また、本実施形態に係る空調コントローラ２０４は、インターネット２０７を介して各区画ＲＡ〜ＲＣ内に設置されているＰＣ等の端末ＴＡ〜ＴＣ（外部端末に相当）に接続されている。ここで、各区画ＲＡ〜ＲＣには、第１及び第２実施形態と同様、テナントＡ〜Ｃが入居している。
【００８３】
尚、室内機２０２ａ〜２０２ｃ及び室外機２０３は、第１実施形態に係る室内機２ａ〜２ｃ及び室外機３と同様の構成を有するため、以下では、空調コントローラ２０４の構成について詳述する。
【００８４】
（１−１）空調コントローラの構成
空調コントローラ２０４は、図１２に示すように、室外機用通信部２４１、操作パネル２４２、記憶部２４５、制御部２４６、及びインターネット用通信部２４７（受信部及び送信部に相当）を有する。
【００８５】
〔室外機用通信部〕
室外機用通信部２４１は、室外機２０３と通信を行うための通信用インターフェースであって、各室内機２０２ａ〜２０２ｃの現在の運転状態を室外機２０３から受信することができる。ここで、現在の運転状態としては、第１実施形態と同様、各室内機２０２ａ〜２０２ｃが行っている空調運転の種類、各室内機２０２ａ〜２０２ｃの電磁弁の開度、各室内機２０２ａ〜２０２ｃの設定温度、設定風量等が挙げられる。
【００８６】
また、室外機用通信部２４１は、間近の所定時間間隔における全室内機２０２ａ〜２０２ｃの総消費電力量を、室外機２０３を介して電力量計から取得することができる。所定時間間隔としては、例えば１時間が挙げられる。
【００８７】
〔操作パネル〕
操作パネル２４２は、表示部２４３と、操作部２４４とで構成される。表示部２４３は、例えば液晶ディスプレイ及びマトリクススイッチ等で構成されるタッチパネルであって、各室内機２０２ａ〜２０２ｃの設定温度や風向等を設定するための設定画面等、各種画面を表示することができる。操作部２４４は、例えば決定キーや選択キー、数字キー等の各種キーと、ペン型のポインティングデバイスとで構成される。このような操作部２４４は、表示部２４３に表示された各種画面に基づいて、各室内機２０２ａ〜２０２ｃの空調運転に関する各種設定が行われる場合等に用いられる。
【００８８】
また、本実施形態に係る表示部２４３は、記憶部２４５の第２記憶領域２４５ｂ（後述）内に記憶されている履歴情報についての画面を表示することもできる（図１８参照）。
【００８９】
〔記憶部〕
記憶部２４５は、第１記憶領域２４５ａ（第１記憶部に相当）及び第２記憶領域２４５ｂ（第２記憶部に相当）を有しており、各種情報を記憶することができる。
【００９０】
第１記憶領域２４５ａには、按分部２４６ａとして機能する制御部２４６による按分結果（具体的には、各室内機２０２ａ〜２０２ｃの消費電力量）、及び演算部２４６ｂとして機能する制御部２４６による演算結果（具体的には、各室内機２０２ａ〜２０２ｃの消費電力量に対する電力料金）が記憶される。更に、第１記憶領域２４５ａには、按分結果及び演算結果に対する各室内機２０２ａ〜２０２ｃの運転状態が記憶される。つまり、第１記憶領域２４５ａには、各室内機２０２ａ〜２０２ｃの消費電力量及び電力料金を求める際に用いられた各室内機２０２ａ〜２０２ｃの運転状態が記憶される。図１３は、第１記憶領域２４５ａに記憶されるべき上記各種情報が、室内機に関する情報テーブルｔａ１の形態で第１記憶領域２４５ａに記憶される一例を示している。図１３の室内機に関する情報テーブルｔａ１では、室内機２０２ａ〜２０２ｃの名称、各室内機２０２ａ〜２０２ｃにおける消費電力量、電力料金、運転状態、及び期間が、それぞれ対応づけられている。
【００９１】
第２記憶領域２４５ｂには、後述するインターネット用通信部２４７が受信した報知要求に関する情報が履歴情報として記憶される。報知要求とは、按分結果及び演算結果である各室内機２０２ａ〜２０２ｃの消費電力量及び電力料金がＷｅｂページ上に表示されるようにするために、インターネット２０７に接続された端末ＴＡ〜ＴＣが出力する要求を言う。報知要求は、各端末ＴＡ〜ＴＣが設置されたテナントＡ〜Ｃの店員によって指示され、各端末ＴＡ〜ＴＣから出力される。尚、本実施形態では、報知要求が、インターネット２０７に接続された端末ＴＡ〜ＴＣを通じて閲覧されるＷｅｂページを介して行われる。つまり、テナントＡ〜Ｃの店員の店員は、空調コントローラ２０４にアクセスした状態時に各端末ＴＡ〜ＴＣに表示されるＷｅｂページ上から、報知要求を送ることができる。
【００９２】
また、報知要求に関する情報としては、図１４の履歴情報リストｌｓ１に示されるように、報知要求があった日時や、端末ＴＡ〜ＴＣによってＷｅｂページ上への表示が要求された情報の内容（即ち、要求内容）、報知要求を行った端末ＴＡ〜ＴＣの端末名、端末ＴＡ〜ＴＣのＩＰアドレスが挙げられる。また報知要求に関する情報としては、例えば端末ＴＡ〜ＴＣを介して空調コントローラ４にアクセスし、ログインしているユーザがあれば、そのユーザ名が挙げられる。ここで、図１４は、第２記憶領域２４５ｂに記憶されるべき報知要求に関する情報が、リストの形態で第２記憶領域２４５ｂに記憶される一例を示している。図１４の履歴情報リストｌｓ１には、報知要求があった日時、要求内容、報知要求を行った端末ＴＡ〜ＴＣの端末名、及び端末ＴＡ〜ＴＣのＩＰアドレスが、それぞれ対応づけられている。
【００９３】
〔制御部〕
制御部２４６は、ＲＯＭやＲＡＭ等のメモリとＣＰＵとからなるマイクロコンピュータで構成される。制御部２４６は、室外機用通信部２４１、操作パネル２４２における表示部２４３及び操作部２４４、記憶部２４５、及びインターネット用通信部２４７と接続されており、接続された各機能部の制御を行う。特に、本実施形態に係る制御部２４６は、各室内機２０２ａ〜２０２ｃにおいて消費された消費電力量及び電力料金の計算や、計算結果である各室内機２０２ａ〜２０２ｃの消費電力量及び電力料金をＷｅｂページ上から閲覧可能にするといった動作を行う。このような動作を行うため、制御部２４６は、按分部２４６ａ、演算部２４６ｂ、請求書データ生成部２４６ｃ、及び画面情報生成部２４６ｄとして機能する。
【００９４】
按分部２４６ａは、第１実施形態に係る按分部４５ａと同様、室外機用通信部２４１が受信した各室内機２０２ａ〜２０２ｃそれぞれの運転状態に基づいて、電力量計（図示せず）が計測した総消費電力量を室内機２０２ａ〜２０２ｃ毎に按分する。そして、按分部２４６ａは、このような動作を繰り返し行うと共に室内機２０２ａ〜２０２ｃ毎の按分結果を積算していき、例えば１ヶ月の所定期間における各室内機２０２ａ〜２０２ｃの消費電力量を求める。
【００９５】
演算部２４６ｂは、第１実施形態に係る演算部４５ｂと同様、按分部２４６ａの按分結果、即ち各室内機２０２ａ〜２０２ｃの消費電力量に基づいて、室内機２０２ａ〜２０２ｃ毎の消費電力量に対する電力料金を演算する。
【００９６】
請求書データ生成部２４６ｃは、按分部２４６ａの按分結果及び演算部２４６ｂの演算結果である各室内機２０２ａ〜２０２ｃの消費電力量と電力料金とを添付した請求書データを、室内機２０２ａ〜２０２ｃ毎に生成する。尚、請求書データ生成部２４６ｃにより生成された各室内機２０２ａ〜２０２ｃの請求書データは、物件の管理会社における担当者にフラッシュメモリ等の記録媒体を介して手渡され、図１５に示すように用紙に印刷された後、各テナントＡ〜Ｃに渡される。図１５に示すように、本実施形態に係る請求書は、第１実施形態に係る図４や第２実施形態に係る図９の請求書とは異なり、暗号コードがない状態となっている。また、請求書データ生成部２４６ｃは、消費電力の按分に用いられた運転状態と生成した請求書データとに基づき、図１３の室内機に関する情報テーブルｔａ１を更新する。これにより、按分結果、演算結果及び運転状態は、記憶部２４５の第１記憶領域２４５ａに記憶されるようになる。
【００９７】
画面情報生成部２４６ｄは、端末ＴＡ〜ＴＣのいずれかから、各室内機２０２ａ〜２０２ｃの消費電力量及び電力料金の報知要求があった場合、記憶部２４５の第１記憶領域２４５ａ内における各種情報に基づいて、消費電力量等を表示するための画面情報を生成する。具体的には、画面情報生成部２４６ｄは、按分部２４６ａの按分結果及び演算部２４６ｂの演算結果である各室内機２０２ａ〜２０２ｃの消費電力量及び電力料金、これらの各結果に対する室内機２０２ａ〜２０２ｃの運転状態がＷｅｂページ上に表示されるように、図１３の室内機に関する情報テーブルｔａ１に基づいて画面情報を生成する。つまり、画面情報生成部２４６ｄが生成する画面情報には、各テナントＡ〜Ｃに渡された請求書に記載されている最新の各室内機２０２ａ〜２０２ｃの消費電力量及び電力料金、更にはこの消費電力量や電力料金の演算時に用いられた室内機２０２ａ〜２０２ｃの運転状態が含まれる。
【００９８】
また、画面情報生成部２４６ｄは、生成した画面情報に基づき、図１４の履歴情報リストｌｓ１を更新する。これにより、要求日時等の報知要求に関する情報は、記憶部２４５の第２記憶領域２４５ｂに記憶されるようになる。更に、空調コントローラ２０４の管理者により、操作部２４４を介して履歴情報の表示要求がなされた場合、画面情報生成部２４６ｄは、図１８に示すような履歴情報の画面が空調コントローラ２０４の表示部２４３に表示されるように、図１４の履歴情報リストｌｓ１に基づいて履歴情報を表示するための画面情報を生成する。
【００９９】
〔インターネット用通信部〕
インターネット用通信部２４７は、インターネット２０７を介して端末ＴＡ〜ＴＣと通信を行うための通信用インターフェースである。具体的に、インターネット用通信部２４７は、端末ＴＡ〜ＴＣを通じて閲覧されるＷｅｂページを介して、按分部２４６ａの按分結果及び演算部２４６ｂの演算結果の報知要求を受信することができる。また、インターネット用通信部２４７は、報知要求を受信後、画面情報生成部２４６ｄにより生成された消費電力量等を表示するための画面情報を、報知要求の送信元である端末ＴＡ〜ＴＣに送信する。これにより、最新の各室内機２０２ａ〜２０２ｃの消費電力量、電力料金及び室内機２０２ａ〜２０２ｃの運転状態が、端末ＴＡ〜ＴＣの表示部に表示されているＷｅｂページ上に表示されるようになる（図１６の画面ｓｑ２参照）。
【０１００】
（２）電力情報報知システムの動作
図１７は、本実施形態に係る空調コントローラ２０４を備えた電力情報報知システム２０１の動作の流れを説明するための図である。
【０１０１】
先ず、室外機２０３は、所定時間間隔経過毎に、各室内機２０２ａ〜２０２ｃの運転状態を確認すると共に、電力量計（図示せず）から全室内機２０２ａ〜２０２ｃの総消費電力量を取得する。そして、室外機２０３は、各室内機２０２ａ〜２０２ｃの運転状態及び全室内機２０２ａ〜２０２ｃの総消費電力量を、空調コントローラ２０４に送信する（＃２０１）。
【０１０２】
空調コントローラ２０４は、各室内機２０２ａ〜２０２ｃの運転状態及び全室内機２０２ａ〜２０２ｃの総消費電力量を室外機２０３から受信すると（＃２０２）、所定時間間隔における各室内機２０２ａ〜２０２ｃの消費電力量を按分して室内機２０２ａ〜２０２ｃ毎に積算し、所定期間における各室内機２０２ａ〜２０２ｃの消費電力量を求める。更に、空調コントローラ２０４は、所定期間における各室内機２０２ａ〜２０２ｃの消費電力量に対する電力料金を求める（＃２０３）。次いで、空調コントローラ２０４は、所定期間における各室内機２０２ａ〜２０２ｃの消費電力量及び電力料金が添付された請求書データを室内機２０２ａ〜２０２ｃ毎に生成すると共に、室内機に関する情報テーブルｔａ１（図１３）を更新する（＃２０４）。尚、請求書データは、フラッシュメモリ等に出力された後、管理会社に設置されたコンピュータによって用紙に印刷され、室内機２０２ａ〜２０２ｃそれぞれが設置された区画ＲＡ〜ＲＣに入居している各テナントＡ〜Ｃに渡される（＃２０５）。
【０１０３】
テナントＡ〜Ｃの店員は、物件の管理会社から渡された請求書が正しいか否かを確認するべく、端末ＴＡ〜ＴＣを用いて空調コントローラ２０４にアクセスし、Ｗｅｂページ上から按分結果及び演算結果の報知要求を行う（＃２０６）。
【０１０４】
空調コントローラ２０４は、該報知要求を受信すると（＃２０７）、記憶部２４５の第１記憶領域２４５ａにおける室内機に関する情報テーブルｔａ１（図１３）に基づいて消費電力量等を表示するための画面情報を生成し、報知要求の送信元である端末ＴＡ〜ＴＣに送信する（＃２０８）。
【０１０５】
空調コントローラ２０４により上記画面情報を受信した端末ＴＡ〜ＴＣは（＃２０９）、図１６に示すような画面ｓｑ２を表示する（＃２１０）。これにより、テナントＡ〜Ｃの店員は、請求書に記載されている室内機２０２ａ〜２０２ｃの消費電力量及び電力料金が不正のない値であるか否かを確認することができる。
【０１０６】
また、空調コントローラ２０４は、上記画面情報の生成後、図１４の履歴情報リストｌｓ１を更新する（＃２１１）。そして、空調コントローラ２０４の管理者により履歴情報リストｌｓ１の閲覧要求があれば、空調コントローラ２０４は、図１４の履歴情報リストｌｓ１に基づいて、図１８に示すような履歴情報を表示する（＃２１２）。
【０１０７】
（３）効果
（Ａ）
本実施形態に係る空調コントローラ２０４は、端末ＴＡ〜ＴＣを介して各室内機２０２ａ〜２０２ｃの消費電力量及び電力料金の報知要求がなされた場合、消費電力量及び電力料金を表示するための画面情報を、端末ＴＡ〜ＴＣに送信する。これにより、端末ＴＡ〜ＴＣ上には、図１６に示されるような画面ｓｑ２が表示されるため、テナントＡ〜Ｃの店員は、Ｗｅｂページを介して消費電力量及び電力料金を確認することができる。従って、請求書を通じて電力料金を請求されたテナントＡ〜Ｃは、空調コントローラ２０４にアクセスすることで、請求書中の消費電力量及び電力料金が不正のない数値であることを知ることができる。
【０１０８】
（Ｂ）
また、本実施形態に係る空調コントローラ２０４は、端末ＴＡ〜ＴＣを介して各室内機２０２ａ〜２０２ｃの消費電力量及び電力料金の報知要求がなされた場合、消費電力量及び電力料金だけではなく、該消費電力量の演算に用いた室内機２０２ａ〜２０２ｃの運転状態を端末ＴＡ〜ＴＣに更に送信する。これにより、端末ＴＡ〜ＴＣ上のＷｅｂページには、消費電力量及び電力料金に加え、この電力量を消費した室内機２０２ａ〜２０２ｃのその時の運転状態が表示される。従って、請求書を通じて電力料金を請求されたテナントは、Ｗｅｂページ上の室内機２０２ａ〜２０２ｃの運転状態から、表示されている消費電力量及び電力料金が妥当な値であるか否かを確認することができる。
【０１０９】
また、仮に、第三者によってＷｅｂページ上の電力料金が改ざんされたとしても、Ｗｅｂページを確認する側は、室内機２０２ａ〜２０２ｃの運転状態から電力料金が妥当であるか否かを判断することができるため、Ｗｅｂページの改ざんを発見し易くなる。従って、逆に、第三者によるウェブページの改ざんを防げることが可能となる。
【０１１０】
（Ｃ）
また、本実施形態に係る空調コントローラ２０４は、インターネット用通信部２４７が受信した報知要求に関する情報を、図１４に示すように履歴情報として記憶する。ここで、報知要求に関する情報としては、報知要求を行ったユーザ名や端末ＴＡ〜ＴＣのＩＰアドレス、報知要求のあった日時等が挙げられる。つまり、空調コントローラ２０４は、自装置にアクセスがあった場合のログを記憶する。これにより、記憶部２４５の第２記憶領域２４５ｂ内の履歴情報を、図１８に示すように空調コントローラ２０４上に表示することができ、空調コントローラ２０４の管理者は、どのような人物が消費電力量及び電力料金の報知要求を行っているのか等を知ることができる。
【０１１１】
＜第４実施形態＞
次に、本発明の第４実施形態に係る電力情報報知装置が採用された空調コントローラ３０４を備える電力情報報知システム３０１について説明する。
【０１１２】
（１）構成
図１９は、電力情報報知システム３０１の構成を概略的に示す図である。電力情報報知システム３０１は、主として、複数の室内機３０２ａ〜３０２ｃ、１台の室外機３０３、空調コントローラ３０４（電力情報報知装置に相当）、及び管理用コンピュータ３０５を備える。
【０１１３】
室内機３０２ａ〜３０２ｃは、１つの物件における各区画ＲＡ〜ＲＣに１台ずつ設置されており、設置された各区画ＲＡ〜ＲＣ内について空調運転を行う。１台の室外機３０３は、物件の屋上等に設置されており、室内機３０２ａ〜３０２ｃ全てと接続されている。また、室外機３０３には、室内機３０２ａ〜３０２ｃ全ての総消費電力量を計測するための電力量計（図示せず）が接続されている。空調コントローラ３０４は、物件の管理室等の壁に設けられており、配線によって室外機３０３と通信可能に接続されている。管理用コンピュータ３０５は、空調コントローラ３０４とイーサネット（登録商標）を介して接続されている。ここで、各区画ＲＡ〜ＲＣには、第１〜第３実施形態と同様にテナントＡ〜Ｃが入居しているが、第１〜第３実施形態とは異なり、管理用コンピュータ３０５や空調コントローラ３０４と通信可能な端末は設置されていない。
【０１１４】
尚、室内機３０２ａ〜３０２ｃ、室外機３０３及び管理用コンピュータ３０５は、第１実施形態に係る室内機２ａ〜２ｃ、室外機３及び管理用コンピュータ５と同様の構成を有するため、以下では、空調コントローラ３０４の構成について詳述する。
【０１１５】
（１−１）空調コントローラの構成
空調コントローラ３０４は、図２０に示すように、室外機用通信部３４１、操作パネル３４２、制御部３４５及びイーサネット用通信部３４６（出力部に相当）を有する。
【０１１６】
〔室外機用通信部〕
室外機用通信部３４１は、室外機３０３と通信を行うための通信用インターフェースであって、各室内機３０２ａ〜３０２ｃの現在の運転状態を室外機３０３から受信することができる。ここで、現在の運転状態としては、第１実施形態と同様、各室内機３０２ａ〜３０２ｃが行っている空調運転の種類、各室内機３０２ａ〜３０２ｃの電磁弁の開度、各室内機３０２ａ〜３０２ｃの設定温度、設定風量等が挙げられる。
【０１１７】
また、室外機用通信部３４１は、間近の所定時間間隔における全室内機３０２ａ〜３０２ｃの総消費電力量を、室外機３０３を介して電力量計から取得することができる。所定時間間隔としては、例えば１時間が挙げられる。
【０１１８】
〔操作パネル〕
操作パネル３４２は、表示部３４３と、操作部３４４とで構成される。表示部３４３は、例えば液晶ディスプレイ及びマトリクススイッチ等で構成されるタッチパネルであって、各室内機３０２ａ〜３０２ｃの設定温度や風向等を設定するための設定画面等、各種画面を表示することができる。操作部３４４は、例えば決定キーや選択キー、数字キー等の各種キーと、ペン型のポインティングデバイスとで構成される。このような操作部３４４は、表示部３４３に表示された各種画面に基づいて、各室内機３０２ａ〜３０２ｃの空調運転に関する各種設定が行われる場合等に用いられる。
【０１１９】
〔制御部〕
制御部３４５は、ＲＯＭやＲＡＭ等のメモリとＣＰＵとからなるマイクロコンピュータで構成される。制御部３４５は、室外機用通信部３４１、操作パネル３４２における表示部３４３及び操作部３４４、及び後述するイーサネット用通信部３４６と接続されており、接続された各機能部の制御を行う。制御部３４５は、按分部３４５ａ、演算部３４５ｂ及び請求書データ生成部３４５ｃとして機能する。
【０１２０】
按分部３４５ａは、第１実施形態に係る按分部４５ａと同様、室外機用通信部３４１が受信した各室内機３０２ａ〜３０２ｃそれぞれの運転状態に基づいて、電力量計（図示せず）が計測した総消費電力量を室内機３０２ａ〜３０２ｃ毎に按分する。そして、按分部３４５ａは、このような動作を繰り返し行うと共に室内機３０２ａ〜３０２ｃ毎の按分結果を積算していき、例えば１ヶ月の所定期間における各室内機３０２ａ〜３０２ｃの消費電力量を求める。
【０１２１】
演算部３４５ｂは、第１実施形態に係る演算部４５ｂと同様、按分部３４５ａの按分結果、即ち各室内機３０２ａ〜３０２ｃの消費電力量に基づいて、室内機３０２ａ〜３０２ｃ毎の消費電力量に対する電力料金を演算する。
【０１２２】
請求書データ生成部３４５ｃは、按分部３４５ａの按分結果及び演算部３４５ｂの演算結果である各室内機３０２ａ〜３０２ｃの消費電力量と電力料金とを添付した請求書データを、室内機３０２ａ〜３０２ｃ毎に生成する。特に、本実施形態に係る請求書データ生成部３４５ｃは、請求書データを、編集不可能なファイル形式で生成する。ここで、編集不可能なファイル形式としては、ＰＤＦファイルが挙げられる。つまり、本実施形態に係る請求書データ生成部３４５ｃは、第三者が請求書データを改ざんできないようにするべく、ＣＳＶファイルやＥＸＣＥＬファイル等のように編集可能なファイル形式ではなく、あえてＰＤＦファイル等の編集不可能なファイル形式で生成する。
【０１２３】
〔イーサネット用通信部〕
イーサネット用通信部３４６は、イーサネットを介して管理用コンピュータ３０５と通信を行うための通信用インターフェースである。具体的に、イーサネット用通信部３４６は、請求書データ生成部３４５ｃにより生成された室内機３０２ａ〜３０２ｃ毎の請求書データを、イーサネットを介して管理用コンピュータ３０５に送信する。
【０１２４】
尚、管理用コンピュータ３０５は、各室内機３０２ａ〜３０２ｃの請求書データが空調コントローラ３０４から送られてくると、これを受信する。受信された請求書データは、管理用コンピュータ３０５を利用する物件の管理会社によって図１５に示すように用紙に印刷され、室内機３０２ａ〜３０２ｃそれぞれが設置された区画ＲＡ〜ＲＣに入居している各テナントＡ〜Ｃに渡される。
【０１２５】
（２）電力情報報知システムの動作
図２１は、本実施形態に係る空調コントローラ３０４を備えた電力情報報知システム３０１の動作の流れを説明するための図である。
【０１２６】
先ず、室外機３０３は、所定時間間隔経過毎に、各室内機３０２ａ〜３０２ｃの運転状態を確認すると共に、電力量計（図示せず）から全室内機３０２ａ〜３０２ｃの総消費電力量を取得する。そして、室外機３０３は、各室内機３０２ａ〜３０２ｃの運転状態及び全室内機３０２ａ〜３０２ｃの総消費電力量を、空調コントローラ３０４に送信する（＃３０１）。
【０１２７】
空調コントローラ３０４は、各室内機３０２ａ〜３０２ｃの運転状態及び全室内機３０２ａ〜３０２ｃの総消費電力量を室外機３０３から受信すると（＃３０２）、所定時間間隔における各室内機３０２ａ〜３０２ｃの消費電力量を按分して室内機３０２ａ〜３０２ｃ毎に積算し、所定期間における各室内機３０２ａ〜３０２ｃの消費電力量を求める。更に、空調コントローラ３０４は、所定期間における各室内機３０２ａ〜３０２ｃの消費電力量に対する電力料金を求める（＃３０３）。次いで、空調コントローラ３０４は、所定期間における各室内機３０２ａ〜３０２ｃの消費電力量及び電力料金が添付された請求書データを、室内機３０２ａ〜３０２ｃ毎に編集不可能な形態で生成し、管理用コンピュータ３０５に送信する（＃３０４）。
【０１２８】
管理用コンピュータ３０５が、空調コントローラ３０４から送られてきた各室内機３０２ａ〜３０２ｃにおける請求書データを受信すると（＃３０５）、受信された請求書データは、管理用コンピュータ３０５を利用する物件の管理会社によって用紙に印刷され（図１５）、室内機３０２ａ〜３０２ｃそれぞれが設置された区画ＲＡ〜ＲＣに入居している各テナントＡ〜Ｃに渡される（＃３０６）。
【０１２９】
（３）効果
本実施形態に係る空調コントローラ３０４は、各室内機３０２ａ〜３０２ｃの消費電力量及び電力料金を含む請求書データを、ＣＳＶファイルやＥＸＣＥＬファイルのような編集可能な形態ではなく、ＰＤＦファイルのような編集不可能な形態で生成し、管理用コンピュータ３０５に送信する。従って、物件の管理会社は、請求書データを加工することができないため、電力料金の水増し請求等を行っているのではないかとテナントＡ〜Ｃ側から疑われにくくなる。
【０１３０】
＜その他の実施形態＞
（ａ）
上記第１実施形態では、暗号コードの生成及び暗号コードの復号化において、同じ鍵情報が用いられた場合について説明した。しかし、確実に暗号コードを復号化することができるのであれば、暗号コードの生成及び暗号コードの復号化において、必ずしも同じ鍵情報が用いられずとも良い。
【０１３１】
（ｂ）
上記第２実施形態では、室内機１０２ａ〜１０２ｃの消費電力量及び電力料金のみが暗号化されることによって、２次元バーコードが生成される場合について説明した。しかし、２次元バーコードには、室内機１０２ａ〜１０２ｃの消費電力量及び電力料金が暗号化された部分の他、更にセンターサーバ１０６のＩＰアドレスに対応する部分が含まれていても良い。これにより、携帯端末ＭＡ〜ＭＣは、２次元バーコードを読み取ると同時に、２次元バーコードにおけるセンターサーバ１０６のＩＰアドレスに基づき、自動的にセンターサーバ１０６にアクセスすることができる。尚、この場合、携帯端末ＭＡ〜ＭＣは、２次元バーコード中のＩＰアドレスの部分のみを復号化可能な手段を有しているものとする。
【０１３２】
（ｃ）
上記第１及び第２実施形態では、室内機２ａ〜２ｃ，１０２ａ〜１０２ｃの消費電力量及び電力料金が暗号化されることによって暗号コードが生成される場合について説明した。しかし、暗号コードの生成には、室内機２ａ〜２ｃ，１０２ａ〜１０２ｃの消費電力量及び電力料金のいずれかが用いられても良い。この場合、この暗号コードが復号化された場合には、室内機２ａ〜２ｃ，１０２ａ〜１０２ｃの消費電力量及び電力料金のいずれかが報知される。
【０１３３】
（ｄ）
上記第３実施形態のＷｅｂページには、消費電力量の演算に用いられた室内機２０２ａ〜２０２ｃの運転状態が表示される場合を例にとり説明したが、Ｗｅｂページに表示される室内機２０２ａ〜２０２ｃの運転状態は、現在の各室内機２０２ａ〜２０２ｃの運転状態であってもよい。つまり、Ｗｅｂページには、表示されている消費電力量に対する室内機２０２ａ〜２０２ｃの現在の運転状態が表示されてもよい。現在の各室内機２０２ａ〜２０２ｃの運転状態を改ざんすることは困難であるため、Ｗｅｂページにおける電力料金の改ざんを容易に発見することができる。従って、逆に、第三者によるウェブページの改ざんを防げることが可能となる。
【０１３４】
（ｅ）
上記第４実施形態では、室内機３０２ａ〜３０２ｃの消費電力量及び電力料金が請求書データに含まれる場合について説明した。しかし、請求書データには、室内機３０２ａ〜３０２ｃの消費電力量及び電力料金のいずれかが含まれていてもよい。
【０１３５】
（ｆ）
上記第１、第２及び第４実施形態では、空調コントローラ４，１０４，３０４により生成された請求書データが、イーサネットを介して管理用コンピュータ５，１０５，３０５に送信される場合について説明した。しかし、空調コントローラ４，１０４，３０４で生成された請求書データは、イーサネットを介して管理用コンピュータ５，１０５，３０５に送信されるのではなく、フラッシュメモリやＤＶＤ−ＲＷ等の持ち運び可能な記録媒体を経由して管理用コンピュータ５，１０５，３０５に出力されてもよい。
【産業上の利用可能性】
【０１３６】
本発明に係る電力情報報知システム及び電力情報報知装置は、請求書を通じて電力料金を請求されたテナントが、請求書中の消費電力量及び電力料金が不正のない数値であることを知ることができるという効果を有する。本発明に係る電力情報報知システム及び電力情報報知装置は、１つの物件の中に複数のテナントが入居しており、物件を管理している管理会社が、空調部を使用した電力料金を各テナントに要求するような場合に適用することができる。
【図面の簡単な説明】
【０１３７】
【図１】第１実施形態に係る電力情報報知システムの概略構成図。
【図２】第１実施形態に係る室内機及び室外機の概略構成図。
【図３】第１実施形態に係る空調コントローラの概略構成図。
【図４】第１実施形態において、テナントに渡される請求書の一例。
【図５】第１実施形態に係るセンターサーバの概略構成図。
【図６】暗号コードの送信元である端末に、室内機における消費電力量及び電力料金が表示された画面例。
【図７】第１実施形態に係る電力情報報知システムの動作の流れを説明するための図。
【図８】第２実施形態に係る電力情報報知システムの概略構成図。
【図９】第２実施形態において、テナントに渡される請求書の一例。
【図１０】第２実施形態に係る電力情報報知システムの動作の流れを説明するための図。
【図１１】第３実施形態に係る電力情報報知システムの概略構成図。
【図１２】第３実施形態に係る空調コントローラの概略構成図。
【図１３】空調コントローラの記憶部における第１記憶領域に記憶される、室内機に関する情報テーブルの概念図。
【図１４】空調コントローラの記憶部における第２記憶領域に記憶される、履歴情報リストの概念図。
【図１５】第３実施形態において、テナントに渡される請求書の一例。
【図１６】各室内機の消費電力量、電力料金及び運転状態が表示されたＷｅｂページの画面例。
【図１７】第３実施形態に係る空調コントローラを含む電力情報報知システムの動作の流れを説明するための図。
【図１８】空調コントローラに表示される履歴情報の画面例。
【図１９】第４実施形態に係る電力情報報知システムの概略構成図。
【図２０】第４実施形態に係る空調コントローラの概略構成図。
【図２１】第４実施形態に係る空調コントローラを含む電力情報報知システムの動作の流れを説明するための図。
【符号の説明】
【０１３８】
１，１０１，２０１，３０１  電力情報報知システム
２ａ〜２ｃ，１０２ａ〜１０２ｃ，２０２ａ〜２０２ｃ，３０２ａ〜３０２ｃ  室内機
３，１０３，２０３，３０３  室外機
４，１０４，２０４，３０４  空調コントローラ
５，１０５，３０５  管理用コンピュータ
６，１０６  センターサーバ
７，２０７  インターネット
４５ａ，２４６ａ，３４５ａ  按分部
４５ｂ，２４６ｂ，３４５ｂ  演算部
４５ｃ  暗号コード生成部
４５ｄ，２４６ｃ，３４５ｃ  請求書データ生成部
４６，３４６  イーサネット用通信部
６１，２４７  インターネット用通信部
６２ａ  復号化部
６２ｂ  通信制御部
１６１  無線通信部
２４５  記憶部
２４５ａ  第１記憶領域
２４５ｂ  第２記憶領域
２４６ｄ  画面情報生成部
ＴＡ〜ＴＣ  端末
ＭＡ〜ＭＣ  携帯端末
ＲＡ〜ＲＣ  区画
ｐ１  請求書
ｉｎｆｏ１  請求書に記載された室内機の消費電力量
ｉｎｆｏ２  請求書に記載された電力料金
ｉｎｆｏ３  請求書に記載された暗号コード
ｂａ１  ２次元バーコード
ｔａ１  室内機に関する情報テーブル
ｌｓ１  履歴情報リスト
【図１】
2010048451.tif 000003
【図２】
2010048451.tif 000004
【図３】
2010048451.tif 000005
【図４】
2010048451.tif 000006
【図５】
2010048451.tif 000007
【図６】
2010048451.tif 000008
【図７】
2010048451.tif 000009
【図８】
2010048451.tif 000010
【図９】
2010048451.tif 000011
【図１０】
2010048451.tif 000012
【図１１】
2010048451.tif 000013
【図１２】
2010048451.tif 000014
【図１３】
2010048451.tif 000015
【図１４】
2010048451.tif 000016
【図１５】
2010048451.tif 000017
【図１６】
2010048451.tif 000018
【図１７】
2010048451.tif 000019
【図１８】
2010048451.tif 000020
【図１９】
2010048451.tif 000021
【図２０】
2010048451.tif 000022
【図２１】
2010048451.tif 000023